(57)【要約】【課題】リフレシュレートを上げることなく、色順次方式の映像表示装置にてスクリーン等に表示する映像の色割れを低減して画質を改善する。【解決手段】光源駆動回路は、サブフレームにおける、表示パネルに対する画像データの書き込み開始から該画像データに基づく画像表示が完了するまでの期間をパネル映像書き込み期間としたとき、現サブフレームのパネル映像書き込み期間で表示パネルの表示画像に対応する色の光源の輝度を零から所定値まで徐々に上昇させ、次のサブフレームのパネル映像書き込み期間で表示パネルの表示画像に対応する色の光源の輝度を所定値から零まで徐々に下降させる、複数の光源を発光させるための駆動信号を生成する。光源ドライバは駆動信号にしたがって光源を発光させる。【選択図】図１−１
2009092745.tif 000002
【特許請求の範囲】
【請求項１】
色順次表示方式の映像表示装置であって、
カラー映像の表示に必要な複数の色の光を発光する複数の光源と、
映像信号に基づいて、１フレームを構成する複数のサブフレームにて前記色に対応する複数の画像を順次表示する表示パネルと、
前記サブフレームにおける、前記表示パネルに対する画像データの書き込み開始から該画像データに基づく画像表示が完了するまでの期間をパネル映像書き込み期間としたとき、現サブフレームのパネル映像書き込み期間で前記表示パネルの表示画像に対応する色の光源の輝度を零から所定値まで徐々に上昇させ、次のサブフレームの前記パネル映像書き込み期間で前記表示パネルの表示画像に対応する色の光源の輝度を所定値から零まで徐々に下降させる、前記映像信号にしたがって前記複数の光源を発光させるための駆動信号を生成する光源駆動回路と、
前記駆動信号にしたがって前記光源を発光させる光源ドライバと、
を有する映像表示装置。
【請求項２】
前記表示パネルは、
透過型の液晶パネルである請求項１記載の映像表示装置。
【請求項３】
前記表示パネルは、
ＤＭＤである請求項１記載の映像表示装置。
【請求項４】
前記表示パネルは、
反射型の液晶パネルである請求項１記載の映像表示装置。
【請求項５】
前記光源は、
ＬＥＤである請求項１記載の映像表示装置。
【請求項６】
前記光源は、
レーザ光を出力するレーザ発振器である請求項１記載の映像表示装置。
【請求項７】
カラー映像の表示に必要な複数の色の光を発光する複数の光源と、
映像信号に基づいて、１フレームを構成する複数のサブフレームにて前記色に対応する複数の画像を順次表示する表示パネルと、
前記映像信号にしたがって前記複数の光源を発光させるための駆動信号を生成する光源駆動回路と、
前記駆動信号にしたがって前記光源を発光させる光源ドライバと、
を備えた色順次表示方式の映像表示装置における、前記光源を発光させるための光源駆動方法であって、
サブフレームにおける、前記表示パネルに対する画像データの書き込み開始から該画像データに基づく画像表示が完了するまでの期間をパネル映像書き込み期間としたとき、
前記光源駆動回路が、
現サブフレームのパネル映像書き込み期間で前記表示パネルの表示画像に対応する色の光源の輝度を零から所定値まで徐々に上昇させ、次のサブフレームの前記パネル映像書き込み期間で前記表示パネルの表示画像に対応する色の光源の輝度を所定値から零まで徐々に下降させる駆動信号を生成し、
前記光源ドライバが、
前記駆動信号にしたがって前記光源を発光させる光源駆動方法。
【発明の詳細な説明】
【技術分野】
【０００１】
本発明は色順次表示（ＦＳＣ：Field Sequential Color）方式で動画像を表示する映像表示装置に関する。
【背景技術】
【０００２】
図４は色順次表示方式の映像表示装置の一構成例を示すブロック図である。
【０００３】
色順次表示方式は、赤（Ｒ）、緑（Ｇ）、青（Ｂ）またはそれらが２色以上混ざった色（例えば、イエロー（Ｙ）、シアン(Ｃ)、マゼンダ（Ｍ）、白（Ｗ、無色））に対応する画像を表示パネルに任意の順序で表示し、表示画像に対応する色の光を表示パネルの表面または裏面から順次照射することで、フレーム毎のカラー映像を表示する方式である。
【０００４】
図４に示すように、色順次表示方式の映像表示装置は、映像処理回路１、スケーラー回路２、ＬＥＤ（光源）駆動回路３、液晶駆動回路４、ＬＥＤ（光源）ドライバ５〜７、ＬＥＤ８〜１０、パネルドライバ１１、色合成プリズム１２、液晶パネル１３及び投射レンズ１４を備えている。
【０００５】
映像処理回路１は、外部から供給される映像信号をＡ／Ｄ変換すると共に映像規格に応じた所定のビデオ信号処理を実施する。
【０００６】
スケーラー回路２は、表示パネルとして用いる液晶パネル１３の解像度に合わせて映像処理回路１から出力された映像信号のスケーリング（信号補間や縮小による解像度変換）を行う。
【０００７】
ＬＥＤ駆動回路３は、スケーラー回路２から出力された映像信号にしたがって、液晶パネル１３に照射する、カラー映像の表示に必要な各色（赤（Ｒ）、緑（Ｇ）、青（Ｂ））の光源であるＬＥＤ８〜１０を発光させるための駆動信号を生成する。
【０００８】
ＬＥＤドライバ５〜７は、ＬＥＤ駆動回路３から出力された駆動信号にしたがって、赤（Ｒ）、緑（Ｇ）、青（Ｂ）のＬＥＤ８〜１０を発光させる。
【０００９】
液晶駆動回路４は、スケーラー回路２から出力された映像信号にしたがって各色に対応する画像を任意の順序で液晶パネル１３に表示するための画像信号を生成する。
【００１０】
パネルドライバ１１は、液晶駆動回路４から出力された画像信号にしたがって各色に対応する画像を液晶パネル１３に表示させる。
【００１１】
色合成プリズム１２は、赤（Ｒ）、緑（Ｇ）、青（Ｂ）のＬＥＤ８〜１０で発光した色、またはそれらが２色以上混ざった色の光を液晶パネル１３の裏面から照射する。
【００１２】
液晶パネル１３は、例えば透過型の液晶パネルであり、液晶駆動回路４から出力された画像信号にしたがって各色に対応する画像を順次表示する。
【００１３】
投射レンズ１４は、液晶パネル１３を透過した映像をスクリーン１５等に投影する。
【００１４】
図５−１〜図５−６は色順次表示方式の映像表示装置の動作例の背景技術を示すタイミングチャートである。なお、図５−１〜図５−６に示す色順次表示方式による液晶パネル１３及びＬＥＤ８〜１０の駆動方法は、例えば特許文献１にも記載されている。
【００１５】
図５−１は、１フレームを３つのサブフレーム（Sub Frame）に分割し、３つのサブフレームにおいて赤（Ｒ）、緑（Ｇ）、青（Ｂ）の順に液晶パネル１３で１フレームの各色に対応する画像を表示し、表示画像の色に対応するＬＥＤ８〜１０を順次発光させてカラー画像を表示する例である。
【００１６】
図５−１に示す例では、１フレームの最初のサブフレームにて液晶駆動回路４により液晶パネル１３に赤（Ｒ）の画像データを書き込み、液晶パネル１３による画像表示完了後、ＬＥＤ駆動回路３により表示画像の諧調に応じた最適な輝度で赤（Ｒ）のＬＥＤ８を発光させている。
【００１７】
同様に、１フレームの２番目のサブフレームにて液晶駆動回路４により液晶パネル１３に緑（Ｇ）の画像データを書き込み、液晶パネル１３による画像表示完了後、ＬＥＤ駆動回路３により表示画像の諧調に応じた最適な輝度で緑（Ｇ）のＬＥＤ９を発光させている。
【００１８】
さらに、１フレームの最後のサブフレームにて液晶駆動回路４により液晶パネル１３に青（Ｂ）の画像データを書き込み、液晶パネル１３による画像表示完了後、ＬＥＤ駆動回路３により表示画像の諧調に応じた最適な輝度で青（Ｂ）のＬＥＤ１０を発光させている。
【００１９】
液晶パネル１３は、画素毎に配置された不図示のＴＦＴ（Thin Film Transistor）に対して表示対象の画像データが書き込まれてから、実際に該画像データに基づく画像が表示されるまでに時間を要する。図５−１〜図５−６の（ｃ）に示す「パネル映像書き込み」期間は、ＴＦＴに対して画像データの書き込みを開始してから画像の表示が完了するまでに要する時間を考慮して予め設定された時間である。
【００２０】
図５−２は、１フレームを４つのサブフレームに分割し、４つのサブフレームにおいて白（Ｗ、無色）、赤（Ｒ）、緑（Ｇ）、青（Ｂ）の順に液晶パネル１３に１フレームの各色に対応する画像を表示し、表示画像の色に対応するＬＥＤ８〜１０を順次発光させてカラー画像を表示する例である。白（Ｗ、無色）の照明は、赤（Ｒ）、緑（Ｇ）及び青（Ｂ）のＬＥＤ８〜１０を同時に発光し、それらの照明光を色合成プリズム１２で合成することにより得られる。
【００２１】
各サブフレームにおける液晶駆動回路４及びＬＥＤ駆動回路３の動作は発光するＬＥＤが異なることを除けば、図５−１で示した例と同様である。したがって、ここではその説明を省略する。以降の図５−３〜図５−６で示す動作例についても同様である。
【００２２】
図５−３は、１フレームを４つのサブフレームに分割し、４つのサブフレームにおいてイエロー（Ｙ）、青（Ｂ）、緑（Ｇ）、赤（Ｒ）の順に液晶パネル１３に１フレームの各色に対応する画像を表示し、表示画像の色に対応するＬＥＤ８〜１０を順次発光させてカラー画像を表示する例である。イエロー（Ｙ）の照明は、赤（Ｒ）及び緑（Ｇ）のＬＥＤ８、９を同時に発光し、それらの照明光を色合成プリズム１２で合成することにより得られる。
【００２３】
図５−４は、１フレームを５つのサブフレームに分割し、５つのサブフレームにおいてイエロー（Ｙ）、青（Ｂ）、緑（Ｇ）、赤（Ｒ）、シアン(Ｃ)の順に液晶パネル１３に１フレームの各色に対応する画像を表示し、表示画像の色に対応するＬＥＤ８〜１０を順次発光させてカラー画像を表示する例である。シアン(Ｃ)の照明は、緑（Ｇ）及び青（Ｂ）のＬＥＤ９、１０を同時に発光し、それらの照明光を色合成プリズムで合成することにより得られる。
【００２４】
図５−５は、１フレームを６つのサブフレームに分割し、６つのサブフレームにおいてイエロー（Ｙ）、青（Ｂ）、マゼンダ（Ｍ）、緑（Ｇ）、赤（Ｒ）、シアン(Ｃ)の順に液晶パネル１３に１フレームの各色に対応する画像を表示し、表示画像の色に対応するＬＥＤ８〜１０を順次発光させてカラー画像を表示する例である。マゼンダ（Ｍ）の照明は、赤（Ｒ）及び青（Ｂ）のＬＥＤ８、１０を同時に発光し、それらの照明光を色合成プリズム１２で合成することにより得られる。
【００２５】
図５−６は、１フレームを６つのサブフレームに分割し、６つのサブフレームにおいてイエロー（Ｙ）、青（Ｂ）、白（Ｗ、無色）、緑（Ｇ）、赤（Ｒ）、シアン(Ｃ)の順に液晶パネル１３に１フレームの各色に対応する画像を表示し、表示画像の色に対応するＬＥＤ８〜１０を順次発光させてカラー画像を表示する例である。
【特許文献１】特開２００３−２４１７１４号公報
【発明の開示】
【発明が解決しようとする課題】
【００２６】
色順次表示方式では、上述したように１フレームを複数のサブフレームに分割し、赤（Ｒ）、緑（Ｇ）、青（Ｂ）またはそれらが２色以上混ざった色の画像を順次表示することで、人の目の残像を利用してカラー画像を表示する方式である。そのため、スクリーン等に表示した映像にフリッカーや色割れ等が発生する問題が知られている。
【００２７】
フリッカーは、例えば赤（Ｒ）、緑（Ｇ）、青（Ｂ）用の３枚の液晶パネルを備える３板式の構成でも、人が不快に感じない程度に抑圧するには画面の書き換え速度であるリフレッシュレートを最低でも６０Ｈｚ以上に設定する必要がある。そのため、図４に示したような１枚の液晶パネルを用いる単板式の構成では、少なくともその３倍の１８０Ｈｚ以上のリフレッシュレートが要求される。
【００２８】
従来の色順次表示方式の映像表示装置では、１フレームを構成するサブフレームの数を増やして、リフレッシュレートを上げることでフリッカーや色割れ等の問題に対処してきた。具体的には、光源としてオン／オフを高速に行えるＬＥＤやレーザ光を用いたり、表示パネルとして液晶パネルよりもリフレッシュレートを上げることが可能なＤＭＤ（Digital Micro mirror Deice）を用いることでフリッカーや色割れ等の問題に対処してきた。
【００２９】
しかしながら、ＤＭＤは、一般に高価であるため、映像表示装置のコストの上昇を抑制するには表示パネルに液晶パネルを用いることが望ましい。但し、現状の液晶パネルでは、白、黒、白の順に表示するときの応答速度は速いものでも１．５ｍｓ程度であり、パネルドライバのスルーレートや液晶パネルが備えるＴＦＴ（Thin Film Transistor）に対する画像データの書き込み時間を考慮すると、１水平走査期間は最低でも約２μｓ程度必要になる。そのため、現時点では１フレーム内のサブフレームの数は６つ程度が限界である。
【００３０】
また、パネルドライバの動作周波数も１５０ＭＨｚ程度が上限値となるため、この点からも１フレームを構成するサブフレームの数には限界がある。
【００３１】
したがって、色割れをより低減してスクリーン等に表示する映像の画質をさらに向上させるためには、リフレシュレートを上げる以外の新たな手法が必要になってきている。
【００３２】
本発明は上記したような従来の技術が有する問題点を解決するためになされたものであり、リフレシュレートを上げることなく、スクリーン等に表示する映像の色割れを低減して画質を向上させることが可能な色順次表示方式の映像表示装置及びその光源駆動方法を提供することを目的とする。
【課題を解決するための手段】
【００３３】
上記目的を達成するため本発明の映像表示装置は、色順次表示方式の映像表示装置であって、
カラー映像の表示に必要な複数の色の光を発光する複数の光源と、
映像信号に基づいて、１フレームを構成する複数のサブフレームにて前記色に対応する複数の画像を順次表示する表示パネルと、
前記サブフレームにおける、前記表示パネルに対する画像データの書き込み開始から該画像データに基づく画像表示が完了するまでの期間をパネル映像書き込み期間としたとき、現サブフレームのパネル映像書き込み期間で前記表示パネルの表示画像に対応する色の光源の輝度を零から所定値まで徐々に上昇させ、次のサブフレームの前記パネル映像書き込み期間で前記表示パネルの表示画像に対応する色の光源の輝度を所定値から零まで徐々に下降させる、前記映像信号にしたがって前記複数の光源を発光させるための駆動信号を生成する光源駆動回路と、
前記駆動信号にしたがって前記光源を発光させる光源ドライバと、
を有する。
【００３４】
一方、本発明の光源駆動方法は、カラー映像の表示に必要な複数の色の光を発光する複数の光源と、
映像信号に基づいて、１フレームを構成する複数のサブフレームにて前記色に対応する複数の画像を順次表示する表示パネルと、
前記映像信号にしたがって前記複数の光源を発光させるための駆動信号を生成する光源駆動回路と、
前記駆動信号にしたがって前記光源を発光させる光源ドライバと、
を備えた色順次表示方式の映像表示装置における、前記光源を発光させるための光源駆動方法であって、
サブフレームにおける、前記表示パネルに対する画像データの書き込み開始から該画像データに基づく画像表示が完了するまでの期間をパネル映像書き込み期間としたとき、
前記光源駆動回路が、
現サブフレームのパネル映像書き込み期間で前記表示パネルの表示画像に対応する色の光源の輝度を零から所定値まで徐々に上昇させ、次のサブフレームの前記パネル映像書き込み期間で前記表示パネルの表示画像に対応する色の光源の輝度を所定値から零まで徐々に下降させる駆動信号を生成し、
前記光源ドライバが、
前記駆動信号にしたがって前記光源を発光させる方法である。
【発明の効果】
【００３５】
本発明によれば、リフレシュレートを上げることなく、スクリーン等に表示する映像の色割れを低減して画質を向上させることができる。
【発明を実施するための最良の形態】
【００３６】
次に本発明について図面を用いて説明する。
【００３７】
本発明の映像表示装置は、各サブフレームにおいて、現サブフレームのパネル映像書き込み期間にて液晶パネルの表示画像に対応する光源の輝度を零から所定値まで徐々に上昇させ、次のサブフレームのパネル映像書き込み期間にて液晶パネルの表示画像に対応する光源の輝度を所定値から零まで徐々に下降させる。本実施形態のＬＥＤ（光源）駆動回路３は、図４に示したＬＥＤ（光源）ドライバ５〜７に供給する駆動信号のレベルやパルス幅等を制御することで、赤（Ｒ）、緑（Ｇ）、青（Ｂ）のＬＥＤ８〜１０の輝度を制御する機能を備えている。映像表示装置が備えるその他の構成は、図４に示した背景技術と同様であるため、その説明は省略する。
【００３８】
図１−１〜１−６は本実施形態の色順次表示方式の映像表示装置の動作例を示すタイミングチャートである。
【００３９】
図１−１は、１フレームを３つのサブフレーム（Sub Frame）に分割し、３つのサブフレームにおいて赤（Ｒ）、緑（Ｇ）、青（Ｂ）の順に液晶パネル１３で１フレームの各色に対応する画像を表示し、表示画像の色に対応するＬＥＤを順次発光してカラー画像を表示する例である。
【００４０】
図１−１に示す例では、１フレームの最初のサブフレームにて液晶駆動回路４により液晶パネル１３に赤（Ｒ）の画像データを書き込み、画像データの書き込み開始と同時にＬＥＤ駆動回路３により赤（Ｒ）のＬＥＤ８をオンさせ、パネル映像書き込み期間にて表示画像の諧調に応じた最適な輝度（所定値）まで赤（Ｒ）のＬＥＤ８の輝度を徐々に上昇させている。一方、赤（Ｒ）のＬＥＤ８をオフする際には、次のサブフレーム（２番目のサブフレーム）におけるパネル映像書き込み期間にて輝度を所定値から徐々に下降させ、画像表示が完了した時点でオフさせている。
【００４１】
同様に、１フレームの２番目のサブフレームにて液晶駆動回路４により液晶パネル１３に緑（Ｇ）の画像データを書き込み、画像データの書き込み開始と同時にＬＥＤ駆動回３により緑（Ｇ）のＬＥＤ９をオンさせ、パネル映像書き込み期間にて表示画像の諧調に応じた最適な輝度（所定値）まで緑（Ｇ）のＬＥＤ９の輝度を徐々に上昇させている。一方、緑（Ｇ）のＬＥＤ９をオフする際には、次のサブフレーム（３番目のサブフレーム）におけるパネル映像書き込み期間にて輝度を所定値から徐々に下降させ、画像表示が完了した時点でオフさせている。
【００４２】
さらに、１フレームの３番目のサブフレームにて液晶駆動回路４により液晶パネル１３に青（Ｂ）の画像データを書き込み、画像データの書き込み開始と同時にＬＥＤ駆動回路３により青（Ｂ）のＬＥＤ１０をオンさせ、パネル映像書き込み期間にて表示画像の諧調に応じた最適な輝度（所定値）まで青（Ｂ）のＬＥＤ１０の輝度を徐々に上昇させている。一方、青（Ｂ）のＬＥＤ１０をオフする際には、次のサブフレーム（次のフレームの最初のサブフレーム）におけるパネル映像書き込み期間にて輝度を所定値から徐々に下降させ、画像表示が完了した時点でオフさせている。
【００４３】
図１−２は、１フレームを４つのサブフレームに分割し、４つのサブフレームにおいて白（Ｗ、無色）、赤（Ｒ）、緑（Ｇ）、青（Ｂ）の順に液晶パネル１３に１フレームの各色に対応する画像を表示し、表示画像の色に対応するＬＥＤを順次発光してカラー映像を表示する例である。白（Ｗ、無色）の照明は、赤（Ｒ）、緑（Ｇ）及び青（Ｂ）のＬＥＤ８〜１０を同時に発光し、それらの照明光を色合成プリズム１２で合成することにより得られる。
【００４４】
各サブフレームにおける液晶駆動回路４及びＬＥＤ駆動回路３の動作は発光するＬＥＤが異なることを除けば、図１−１で示した例と同様である。したがって、ここではその説明を省略する。以降の図１−３〜図１−６で示す動作例についても同様である。
【００４５】
図１−３は、１フレームを４つのサブフレームに分割し、４つのサブフレームにおいてイエロー（Ｙ）、青（Ｂ）、緑（Ｇ）、赤（Ｒ）の順に液晶パネル１３に１フレームの各色に対応する画像を表示し、表示画像の色に対応するＬＥＤを順次発光してカラー映像を表示する例である。イエロー（Ｙ）の照明は、赤（Ｒ）及び緑（Ｇ）のＬＥＤ８、９を同時に発光し、それらの照明光を色合成プリズム１２で合成することにより得られる。
【００４６】
図１−４は、１フレームを５つのサブフレームに分割し、５つのサブフレームにおいてイエロー（Ｙ）、青（Ｂ）、緑（Ｇ）、赤（Ｒ）、シアン(Ｃ)の順に液晶パネル１３に１フレームの各色に対応する画像を表示し、表示画像の色に対応するＬＥＤを順次発光してカラー映像を表示する例である。シアン(Ｃ)の照明は、緑（Ｇ）及び青（Ｂ）のＬＥＤ９、１０を同時に発光し、それらの照明光を色合成プリズム１２で合成することにより得られる。
【００４７】
図１−５は、１フレームを６つのサブフレームに分割し、６つのサブフレームにおいてイエロー（Ｙ）、青（Ｂ）、マゼンダ（Ｍ）、緑（Ｇ）、赤（Ｒ）、シアン(Ｃ)の順に液晶パネル１３に１フレームの各色に対応する画像を表示し、表示画像の色に対応するＬＥＤを順次発光してカラー映像を表示する例である。マゼンダ（Ｍ）の照明は、赤（Ｒ）及び青（Ｂ）のＬＥＤ８、１０を同時に発光し、それらの照明光を色合成プリズム１２で合成することにより得られる。
【００４８】
図１−６は、１フレームを６つのサブフレームに分割し、６つのサブフレームにおいてイエロー（Ｙ）、青（Ｂ）、白（Ｗ、無色）、緑（Ｇ）、赤（Ｒ）、シアン(Ｃ)の順に液晶パネル１３に１フレームの各色に対応する画像を表示し、表示画像の色に対応するＬＥＤを順次発光してカラー映像を表示する例である。
【００４９】
図１−１〜図１−６に示すように、本実施形態の画像表示装置では、現サブフレームのパネル映像書き込み期間にて液晶パネル１３の表示画像に対応する光源（ＬＥＤ）の輝度を零から所定値まで徐々に上昇させ、次のサブフレームのパネル映像書き込み期間にて液晶パネル１３の表示画像に対応する光源の輝度を所定値から零まで徐々に下降させることで、パネル映像書き込み期間内では、隣接するサブフレームで照射した色の合成色の照明が液晶パネル１３に照射される。そのため、サブフレーム間に２色以上混ぜた合成色に対応するサブフレームを挿入した場合と同様の効果が得られる。
【００５０】
したがって、表示パネルの応答速度が遅く、例えば１フレームを３つのサブフレームにしか分割できないような場合でも、スクリーン１５等に投影される表示画像の色割れが改善される。
【００５１】
さらに、本実施形態の映像表示装置では、パネル映像書き込み期間においても複数のＬＥＤが点灯しているため、スクリーン１５等に投影される表示画像の輝度が向上する。このような効果は、１フレームを構成するサブフレーム数が多くなるほど大きくなる。
【００５２】
図２及び図３は本実施形態の映像表示装置が備えるＬＥＤ駆動回路及びＬＥＤドライバの一構成例を示す回路図である。なお、図２及び図３では、ＬＥＤドライバについて、図４に示した赤（Ｒ）のＬＥＤ８を駆動するためのＬＥＤドライバ５の構成例のみを示している。緑（Ｇ）のＬＥＤ９を駆動するためのＬＥＤドライバ６及び青（Ｂ）のＬＥＤ１０を駆動するためのＬＥＤドライバ７も、図２及び図３に示した回路と同様の構成を採用できる。
【００５３】
図２はＬＥＤ駆動回路３にＤ／Ａ変換器３１を備え、ＬＥＤドライバ５にオペアンプＩＣ１及びＬＥＤ８に電流を供給するためのトランジスタＱ１を備えた構成である。
【００５４】
図２に示す構成では、ＬＥＤ８に流れる電流がオペアンプＩＣ１によって入力信号に比例するように制御される。したがって、ＬＥＤ駆動回路３は、現サブフレームのパネル映像書き込み期間にてＬＥＤ８の輝度が零から所定値まで徐々に上昇し、次のサブフレームのパネル映像書き込み期間にてＬＥＤ８の輝度が所定値から零まで徐々に下降するように、オペアンプＩＣ１に供給する駆動信号を制御すればよい。
【００５５】
一方、図３はＬＥＤドライバ５にエミッタが共通に接続された２つのトランジスタＱ２，Ｑ３を備えた構成である。トランジスタＱ３のベースには２つの抵抗器によって電源電圧を分圧した一定電圧が供給されている。また、トランジスタＱ２のベースにはＬＥＤ駆動回路３からパルス状の駆動信号が供給される。なお、トランジスタＱ２のエミッタからはベースに供給されたパルス状の駆動信号がＬＥＤ駆動回路３へ帰還される。
【００５６】
図３に示すような構成では、ＬＥＤ８に流れる電流がＬＥＤ駆動回路３から出力されるパルス状の駆動信号のデューティ比に比例する。すなわち、ロウ（Low）レベルの期間に対するハイ（High）レベルの期間の比率が大きいほど、ＬＥＤ８に流れる電流が大きくなる。したがって、ＬＥＤ駆動回路３は、現サブフレームのパネル映像書き込み期間内でＬＥＤ８の輝度が零から所定値まで徐々に上昇し、次のサブフレームのパネル映像書き込み期間内でＬＥＤ８の輝度が所定値から零まで徐々に下降するように、パルス状の駆動信号のデューティ比を制御すればよい。
【００５７】
図２及び図３に示すＬＥＤ駆動回路３は、図２に示したＤ／Ａ変換器３１、並びにプログラムにしたがって動作するＣＰＵやＤＳＰあるいは各種の論理回路を組み合わせることで実現できる。
【００５８】
ＬＥＤ駆動回路３及びＬＥＤドライバ５は、上述したようにＬＥＤ８の輝度を現サブフレームのパネル映像書き込み期間にて零から所定値まで徐々に上昇させ、次のサブフレームのパネル映像書き込み期間にて所定値から零まで徐々に下降させることができれば、図２及び図３に示した構成に限定されるものではなく、どのような構成であってもよい。
【００５９】
なお、上記説明では、表示パネルとして透過型の液晶パネル１３を用いた映像表示装置を例にして説明しているが、本発明の映像表示装置は、表示パネルとして周知のＤＭＤを用いた構成、あるいはＬＣＯＳ（Liquid crystal on silicon）のような周知の反射型の液晶パネルを用いた構成にも適用可能である。
【００６０】
また、上記説明では、表示パネルに対してカラー映像の表示に必要な各色の光を照射する光源としてＬＥＤを用いた例を示しているが、本実施形態の映像表示装置は光源としてレーザ光を出力するレーザ発振器を用いた構成であってもよい。
【図面の簡単な説明】
【００６１】
【図１−１】本実施形態の色順次表示方式の映像表示装置の動作例を示すタイミングチャートである。
【図１−２】本実施形態の色順次表示方式の映像表示装置の動作例を示すタイミングチャートである。
【図１−３】本実施形態の色順次表示方式の映像表示装置の動作例を示すタイミングチャートである。
【図１−４】本実施形態の色順次表示方式の映像表示装置の動作例を示すタイミングチャートである。
【図１−５】本実施形態の色順次表示方式の映像表示装置の動作例を示すタイミングチャートである。
【図１−６】本実施形態の色順次表示方式の映像表示装置の動作例を示すタイミングチャートである。
【図２】本実施形態の映像表示装置が備えるＬＥＤ駆動回路及びＬＥＤドライバの一構成例を示す回路図である。
【図３】本実施形態の映像表示装置が備えるＬＥＤ駆動回路及びＬＥＤドライバの一構成例を示す回路図である。
【図４】色順次表示方式の映像表示装置の一構成例を示すブロック図である。
【図５−１】色順次表示方式の映像表示装置の動作例の背景技術を示すタイミングチャートである。
【図５−２】色順次表示方式の映像表示装置の動作例の背景技術を示すタイミングチャートである。
【図５−３】色順次表示方式の映像表示装置の動作例の背景技術を示すタイミングチャートである。
【図５−４】色順次表示方式の映像表示装置の動作例の背景技術を示すタイミングチャートである。
【図５−５】色順次表示方式の映像表示装置の動作例の背景技術を示すタイミングチャートである。
【図５−６】色順次表示方式の映像表示装置の動作例の背景技術を示すタイミングチャートである。
【符号の説明】
【００６２】
１    映像処理回路
２    スケーラー回路
３    ＬＥＤ駆動回路
４    液晶駆動回路
５〜７    ＬＥＤドライバ
８〜１０    ＬＥＤ
１１    パネルドライバ
１２    色合成プリズム
１３    液晶パネル
１４    投射レンズ
１５    スクリーン
ＩＣ１    オペアンプ
Ｑ１〜Ｑ３    トランジスタ
【図１−１】
2009092745.tif 000003
【図１−２】
2009092745.tif 000004
【図１−３】
2009092745.tif 000005
【図１−４】
2009092745.tif 000006
【図１−５】
2009092745.tif 000007
【図１−６】
2009092745.tif 000008
【図２】
2009092745.tif 000009
【図３】
2009092745.tif 000010
【図４】
2009092745.tif 000011
【図５−１】
2009092745.tif 000012
【図５−２】
2009092745.tif 000013
【図５−３】
2009092745.tif 000014
【図５−４】
2009092745.tif 000015
【図５−５】
2009092745.tif 000016
【図５−６】
2009092745.tif 000017